(57)【特許請求の範囲】
【請求項１】
延出及び後退位置間で移動可能なロックボルトと、
前記ロックボルトに動作可能に結合され、係合及び係合解除位置間で移動可能なボルト後退ギアであって、前記係合位置に向けてバネ付勢されている、ボルト後退ギアと、
手動で駆動されるギアトレインであって、前記係合位置にある前記ボルト後退ギアと係合しかつ続いて前記ロックボルトを前記延出及び後退位置間で駆動する、ギアトレインと、
ユーザの入力情報を受けるユーザ入力デバイスと、
認証情報を記憶し、ユーザの入力情報を検証するように構成された、電気回路を備えるコントローラと、
回転可能な出力素子を有するアクチュエータであって、回転可能な前記出力素子が、ユーザの入力情報が記憶された認証情報と一致することを前記コントローラが検証するまで、前記ギアトレインと係合するための前記ボルト後退ギアの前記係合位置への移動を妨害する、アクチュエータと、
を備えることを特徴とするロック機構。
【請求項２】
前記ユーザ入力デバイスは、回転可能なロックダイヤルであり、
前記認証情報は、数字の組合せであることを特徴とする請求項１に記載のロック機構。
【請求項３】
回転可能な前記ロックダイヤルを手動で駆動される前記ギアトレインに結合する軸シャフトをさらに備え、
前記ロックダイヤルは、回転されてユーザの入力情報を入力し、かつ、ユーザの入力情報が検証されると、前記ロックボルトを前記延出位置から前記後退位置まで移動させることを特徴とする請求項２に記載のロック機構。
【請求項４】
手動で駆動される前記ギアトレインは、手動で駆動される軸ギアと駆動ギアとを備えることを特徴とする請求項１に記載のロック機構。
【請求項５】
前記駆動ギアは、前記軸ギアと係合する第１駆動ギア部分と、前記係合位置において前記ボルト後退ギアと係合するように構成された向かい合う第２駆動ギア部分と、を備えることを特徴とする請求項４に記載のロック機構。
【請求項６】
前記ボルト後退ギアは、スロットをさらに備え、
回転可能な前記出力素子は、ブロックピンをさらに備え、
前記ブロックピンは、前記係合解除位置において前記ボルト後退ギアの前記スロット内に配置され、前記ボルト後退ギアの移動を妨害することを特徴とする請求項１に記載のロック機構。
【請求項７】
回転する前記出力素子は、前記アクチュエータが前記ボルト後退ギアを前記係合解除位置から前記係合位置まで移動させるにしたがって、前記ボルト後退ギアの前記スロットから外に前記ブロックピンをスライドさせることを特徴とする請求項６に記載のロック機構。
【請求項８】
前記アクチュエータは、サーボモータであることを特徴とする請求項７に記載のロック機構。
【請求項９】
前記ロックボルトは、スロットをさらに備え、
前記ボルト後退ギアは、回動軸及び後退ピンをさらに備え、
前記後退ピンは、前記ボルト後退ギアが前記回動軸回りで回転して前記ロックボルトを後退及び延出させるにしたがって、前記ロックボルトの前記スロットに沿ってスライドすることを特徴とする請求項１に記載のロック機構。
【請求項１０】
前記アクチュエータ、前記コントローラ、手動で駆動される前記ギアトレイン及び前記ボルト後退ギアを囲むロック筐体をさらに備え、
前記ロックボルトは、前記後退位置において前記ロック筐体と同一平面にあることを特徴とする請求項１に記載のロック機構。
【請求項１１】
前記ロックボルトに結合されるロックボルト延出部をさらに備え、
前記ロックボルトと前記ロックボルト延出部との組合せは、前記後退位置において前記ロック筐体を越えて突出することを特徴とする請求項１０に記載のロック機構。
【請求項１２】
前記ロック筐体は、少なくとも部分的に半透明であり、ロックボルト筐体への権限のない穿孔の証拠を明らかにすることを特徴とする請求項１０に記載のロック機構。
【請求項１３】
前記コントローラは、回路基板を備え、
前記ロック筐体は、前記回路基板に隣接する軸スリーブをさらに備え、
手動で駆動される前記ギアトレインは、前記ロック筐体の外側から前記軸スリーブを通って延在する軸シャフトをさらに備え、
当該ロック機構は、
前記軸スリーブに隣接しかつ前記コントローラに配線接続された回路破損デバイスであって、前記軸スリーブを介した穿孔が当該回路破損デバイスを破損して前記コントローラを動作不能にさせる、回路破損デバイスをさらに備えることを特徴とする請求項１２に記載のロック機構。
【請求項１４】
前記ロック筐体は、取付ボルト受口部をさらに備え、
前記ロックボルトは、凹所を有し、
当該ロック機構は、
ブロック部材に結合される第１部材を有する後退ボルトシールドをさらに備え、
前記ブロック部材は、前記取付ボルト受口部内の取付ボルトを覆う妨害位置と前記取付ボルト受口部の外側の非妨害位置との間で移動可能であり、
前記第１部材は、前記ロックボルトの前記凹所内に配置され、前記ロックボルトが前記延出位置から前記後退位置まで移動するにしたがって、前記ブロック部材を前記妨害位置から前記非妨害位置まで駆動するように構成されていることを特徴とする請求項１３に記載のロック機構。
【請求項１５】
前記コントローラは、回路基板を備え、
前記ロック筐体は、前記回路基板に隣接する軸スリーブをさらに備え、
手動で駆動される前記ギアトレインは、前記ロック筐体の外側から前記軸スリーブを通って延在する軸シャフトをさらに備え、
当該ロック機構は、
前記軸スリーブに隣接しかつ前記コントローラに配線接続された回路破損デバイスであって、前記軸スリーブを介した穿孔が当該回路破損デバイスを破損して前記コントローラを動作不能にさせる、回路破損デバイスをさらに備えることを特徴とする請求項１０に記載のロック機構。
【請求項１６】
前記ロック筐体は、取付ボルト受口部をさらに備え、
前記ロックボルトは、凹所を有し、
当該ロック機構は、
ブロック部材に結合される第１部材を有する後退ボルトシールドをさらに備え、
前記ブロック部材は、前記取付ボルト受口部内の取付ボルトを覆う妨害位置と前記取付ボルト受口部の外側の非妨害位置との間で移動可能であり、
前記第１部材は、前記ロックボルトの前記凹所内に配置され、前記ロックボルトが前記延出位置から前記後退位置まで移動するにしたがって、前記ブロック部材を前記妨害位置から前記非妨害位置まで駆動するように構成されていることを特徴とする請求項１５に記載のロック機構。
【請求項１７】
前記ロック筐体は、取付ボルト受口部をさらに備え、
前記ロックボルトは、凹所を有し、
当該ロック機構は、
ブロック部材に結合される第１部材を有する後退ボルトシールドをさらに備え、
前記ブロック部材は、前記取付ボルト受口部内の取付ボルトを覆う妨害位置と前記取付ボルト受口部の外側の非妨害位置との間で移動可能であり、
前記第１部材は、前記ロックボルトの前記凹所内に配置され、前記ロックボルトが前記延出位置から前記後退位置まで移動するにしたがって、前記ブロック部材を前記妨害位置から前記非妨害位置まで駆動するように構成されていることを特徴とする請求項１０に記載のロック機構。
【請求項１８】
延出及び後退位置間で移動可能なロックボルトと、
前記ロックボルトに動作可能に結合されたボルト後退ギアと、
手動で駆動されるギアトレインであって、前記ボルト後退ギアに係合される軸ギア及び駆動ギアを有し、前記駆動ギアが、除去部分を有し、前記軸ギアとの係合位置と前記除去部分が前記軸ギアと向かい合う係合解除位置との間で移動可能であり、前記駆動ギアが前記ボルト後退ギアによって前記係合位置に向けて付勢されている、ギアトレインと、
ユーザの入力情報を受けるユーザ入力デバイスと、
認証情報を記憶し、ユーザの入力情報を検証するように構成された、電気回路を備えるコントローラと、
回転可能な出力素子を有するアクチュエータであって、回転可能な前記出力素子が、前記ボルト後退ギアの移動を妨害し、これにより、ユーザの入力情報が記憶された認証情報を一致することを前記コントローラが検証するまで、前記駆動ギアの前記係合解除位置から前記係合位置への回転を防止する、アクチュエータと、
を備えることを特徴とするロック機構。
【請求項１９】
前記ユーザ入力デバイスは、回転可能なロックダイヤルであり、
前記認証情報は、数字の組合せであることを特徴とする請求項１８に記載のロック機構。
【請求項２０】
回転可能な前記ロックダイヤルを手動で駆動される前記ギアトレインに結合する軸シャフトをさらに備え、
前記ロックダイヤルは、回転されてユーザの入力情報を入力し、かつ、ユーザの入力情報が検証されると、前記ロックボルトを前記延出位置から前記後退位置まで移動させることを特徴とする請求項１９に記載のロック機構。
【請求項２１】
前記軸ギアは、除去部分を有し、
前記アクチュエータは、前記軸ギアの前記除去部分が前記駆動ギアと向かい合うときだけ、前記ボルト後退ギアを移動させて前記駆動ギアを前記係合解除位置から前記係合位置まで回転させるように構成されることを特徴とする請求項１８に記載のロック機構。
【請求項２２】
前記駆動ギアは、前記軸ギアと係合するように構成された第１駆動ギア部分と、前記係合位置において前記ボルト後退ギアと係合する向かい合う第２駆動ギア部分と、を備えることを特徴とする請求項１８に記載のロック機構。
【請求項２３】
前記ボルト後退ギアは、スロットをさらに備え、
回転可能な前記出力素子は、ブロックピンをさらに備え、
前記ブロックピンは、前記係合解除位置において前記ボルト後退ギアの前記スロット内に配置され、前記ボルト後退ギアの移動を妨害することを特徴とする請求項１８に記載のロック機構。
【請求項２４】
回転する前記出力素子は、前記アクチュエータが前記ボルト後退ギアを移動させて前記駆動ギアを前記係合解除位置から前記係合位置まで移動させるにしたがって、前記ボルト後退ギアの前記スロットから外に前記ブロックピンをスライドさせることを特徴とする請求項２３に記載のロック機構。
【請求項２５】
前記アクチュエータは、サーボモータであることを特徴とする請求項２４に記載のロック機構。
【請求項２６】
前記ロックボルトは、スロットをさらに備え、
前記ボルト後退ギアは、回動軸及び後退ピンをさらに備え、
前記後退ピンは、前記ボルト後退ギアが前記回動軸回りで回転して前記ロックボルトを後退及び延出させるにしたがって、前記ロックボルトの前記スロットに沿ってスライドすることを特徴とする請求項１８に記載のロック機構。
【請求項２７】
前記アクチュエータ、前記コントローラ、手動で駆動される前記ギアトレイン及び前記ボルト後退ギアを囲むロック筐体をさらに備え、
前記ロックボルトは、前記後退位置において前記ロック筐体と同一平面にあることを特徴とする請求項１８に記載のロック機構。
【請求項２８】
前記ロックボルトに結合されるロックボルト延出部をさらに備え、
前記ロックボルトと前記ロックボルト延出部との組合せは、前記後退位置において前記ロック筐体を越えて突出することを特徴とする請求項２７に記載のロック機構。
【請求項２９】
前記ロック筐体は、少なくとも部分的に半透明であり、ロックボルト筐体への権限のない穿孔の証拠を明らかにすることを特徴とする請求項２７に記載のロック機構。
【請求項３０】
前記コントローラは、回路基板を備え、
前記ロック筐体は、前記回路基板に隣接する軸スリーブをさらに備え、
手動で駆動される前記ギアトレインは、前記ロック筐体の外側から前記軸スリーブを通って延在する軸シャフトをさらに備え、
当該ロック機構は、
前記軸スリーブに隣接しかつ前記コントローラに配線接続された回路破損デバイスであって、前記軸スリーブを介した穿孔が当該回路破損デバイスを破損して前記コントローラを動作不能にさせる、回路破損デバイスをさらに備えることを特徴とする請求項２９に記載のロック機構。
【請求項３１】
前記ロック筐体は、取付ボルト受口部をさらに備え、
前記ロックボルトは、凹所を有し、
当該ロック機構は、
ブロック部材に結合される第１部材を有する後退ボルトシールドをさらに備え、
前記ブロック部材は、前記取付ボルト受口部内の取付ボルトを覆う妨害位置と前記取付ボルト受口部の外側の非妨害位置との間で移動可能であり、
前記第１部材は、前記ロックボルトの前記凹所内に配置され、前記ロックボルトが前記延出位置から前記後退位置まで移動するにしたがって、前記ブロック部材を前記妨害位置から前記非妨害位置まで駆動するように構成されていることを特徴とする請求項３０に記載のロック機構。
【請求項３２】
前記コントローラは、回路基板を備え、
前記ロック筐体は、前記回路基板に隣接する軸スリーブをさらに備え、
手動で駆動される前記ギアトレインは、前記ロック筐体の外側から前記軸スリーブを通って延在する軸シャフトをさらに備え、
当該ロック機構は、
前記軸スリーブに隣接しかつ前記コントローラに配線接続された回路破損デバイスであって、前記軸スリーブを介した穿孔が当該回路破損デバイスを破損して前記コントローラを動作不能にさせる、回路破損デバイスをさらに備えることを特徴とする請求項２７に記載のロック機構。
【請求項３３】
前記ロック筐体は、取付ボルト受口部をさらに備え、
前記ロックボルトは、凹所を有し、
当該ロック機構は、
ブロック部材に結合される第１部材を有する後退ボルトシールドをさらに備え、
前記ブロック部材は、前記取付ボルト受口部内の取付ボルトを覆う妨害位置と前記取付ボルト受口部の外側の非妨害位置との間で移動可能であり、
前記第１部材は、前記ロックボルトの前記凹所内に配置され、前記ロックボルトが前記延出位置から前記後退位置まで移動するにしたがって、前記ブロック部材を前記妨害位置から前記非妨害位置まで駆動するように構成されていることを特徴とする請求項３２に記載のロック機構。
【請求項３４】
前記ロック筐体は、取付ボルト受口部をさらに備え、
前記ロックボルトは、凹所を有し、
当該ロック機構は、
ブロック部材に結合される第１部材を有する後退ボルトシールドをさらに備え、
前記ブロック部材は、前記取付ボルト受口部内の取付ボルトを覆う妨害位置と前記取付ボルト受口部の外側の非妨害位置との間で移動可能であり、
延出位置から前記後退位置まで移動するにしたがって、前記ブロック部材を前記妨害位置から前記非妨害位置まで駆動するように構成されていることを特徴とする請求項２７に記載のロック機構。
【請求項３５】
延出及び後退位置間で移動可能なロックボルトと、
前記ロックボルトに動作可能に結合されたボルト後退ギアと、
手動で駆動される軸ギアと、
駆動シャフトに取り付けられた駆動ギアであって、第１及び第２除去部分を有し、当該駆動ギアが、当該駆動ギアが前記軸ギア及び前記ボルト後退ギア双方と係合する係合位置と前記第１除去部分が前記軸ギアと向かい合いかつ前記第２除去部分が前記ボルト後退ギアと向かい合う係合解除位置との間で移動可能である、駆動ギアと、
ユーザの入力情報を受けるユーザ入力デバイスと、
認証情報を記憶し、ユーザの入力情報を検証するように構成された、電気回路を備えるコントローラと、
前記駆動シャフトに結合されたアクチュエータであって、前記駆動ギアを前記係合解除位置から前記係合位置まで移動させるように構成され、前記軸ギアが、前記コントローラがユーザの入力情報が記憶された認証情報と一致することを検証すると、前記延出及び前記後退位置間で前記ロックボルトを駆動する、アクチュエータと、
前記アクチュエータ、前記コントローラ、前記軸ギア、前記駆動ギア及び前記ボルト後退ギアを囲むロック筐体であって、当該ロック筐体が前記後退位置にある状態で、前記ロックボルトが当該ロック筐体と同一平面にある、ロック筐体と、
前記ロックボルトに結合されたロックボルト延出部であって、前記ロックボルトと前記ロックボルト延出部との組合せは、前記後退位置において前記ロック筐体を越えて突出する、ロックボルト延出部と、
を備えることを特徴とするロック機構。
【請求項３６】
前記ユーザ入力デバイスは、回転可能なロックダイヤルであり、
前記認証情報は、数字の組合せであることを特徴とする請求項３５に記載のロック機構。
【請求項３７】
回転可能な前記ロックダイヤルを手動で駆動される前記ギアトレインに結合する軸シャフトをさらに備え、
前記ロックダイヤルは、回転されてユーザの入力情報を入力し、かつ、ユーザの入力情報が検証されると、前記ロックボルトを前記延出位置から前記後退位置まで移動させることを特徴とする請求項３６に記載のロック機構。
【請求項３８】
前記軸ギアは、除去部分を有し、
前記アクチュエータは、前記軸ギアの前記除去部分が前記駆動ギアと向かい合うときだけ、前記駆動ギアを前記係合解除位置から前記係合位置まで移動させるように構成されることを特徴とする請求項３５に記載のロック機構。
【請求項３９】
前記駆動ギアは、前記第１除去部分を有しかつ前記軸ギアと係合するように構成された第１駆動ギア部分と、前記第２除去部分を有しかつ前記係合位置において前記ボルト後退ギアと係合する向かい合う第２駆動ギア部分と、を備えることを特徴とする請求項３５に記載のロック機構。
【請求項４０】
前記ロックボルトは、スロットをさらに備え、
前記ボルト後退ギアは、回動軸及び後退ピンをさらに備え、
前記後退ピンは、前記ボルト後退ギアが前記回動軸回りに回転して前記ロックボルトを後退及び延出させるにしたがって、前記スロットに沿ってスライドすることを特徴とする請求項３５に記載のロック機構。
【請求項４１】
前記ロック筐体は、少なくとも部分的に半透明であり、ロックボルト筐体への権限のない穿孔の証拠を明らかにすることを特徴とする請求項３５に記載のロック機構。
【請求項４２】
前記コントローラは、回路基板を備え、
前記ロック筐体は、前記回路基板に隣接する軸スリーブをさらに備え、
手動で駆動される前記ギアトレインは、前記ロック筐体の外側から前記軸スリーブを通って延在する軸シャフトをさらに備え、
当該ロック機構は、
前記軸スリーブに隣接しかつ前記コントローラに配線接続された回路破損デバイスであって、前記軸スリーブを介した穿孔を試みることが当該回路破損デバイスを破損して前記コントローラを動作不能にさせる、回路破損デバイスをさらに備えることを特徴とする請求項４１に記載のロック機構。
【請求項４３】
前記ロック筐体は、取付ボルト受口部をさらに備え、
前記ロックボルトは、凹所を有し、
当該ロック機構は、
ブロック部材に結合される第１部材を有する後退ボルトシールドをさらに備え、
前記ブロック部材は、前記取付ボルト受口部内の取付ボルトを覆う妨害位置と前記取付ボルト受口部の外側の非妨害位置との間で移動可能であり、
前記第１部材は、前記ロックボルトの前記凹所内に配置され、前記ロックボルトが前記延出位置から前記後退位置まで移動するにしたがって、前記ブロック部材を前記妨害位置から前記非妨害位置まで駆動するように構成されていることを特徴とする請求項４２に記載のロック機構。
【請求項４４】
前記コントローラは、回路基板を備え、
前記ロック筐体は、前記回路基板に隣接する軸スリーブをさらに備え、
手動で駆動される前記ギアトレインは、前記ロック筐体の外側から前記軸スリーブを通って延在する軸シャフトをさらに備え、
当該ロック機構は、
前記軸スリーブに隣接しかつ前記コントローラに配線接続された回路破損デバイスであって、前記軸スリーブを介した穿孔が当該回路破損デバイスを破損して前記コントローラを動作不能にさせる、回路破損デバイスをさらに備えることを特徴とする請求項３５に記載のロック機構。
【請求項４５】
前記ロック筐体は、取付ボルト受口部をさらに備え、
前記ロックボルトは、凹所を有し、
当該ロック機構は、
ブロック部材に結合される第１部材を有する後退ボルトシールドをさらに備え、
前記ブロック部材は、前記取付ボルト受口部内の取付ボルトを覆う妨害位置と前記取付ボルト受口部の外側の非妨害位置との間で移動可能であり、
前記第１部材は、前記ロックボルトの前記凹所内に配置され、前記ロックボルトが前記延出位置から前記後退位置まで移動するにしたがって、前記ブロック部材を前記妨害位置から前記非妨害位置まで駆動するように構成されていることを特徴とする請求項４４に記載のロック機構。
【請求項４６】
前記ロック筐体は、取付ボルト受口部をさらに備え、
前記ロックボルトは、凹所を有し、
当該ロック機構は、
ブロック部材に結合される第１部材を有する後退ボルトシールドをさらに備え、
前記ブロック部材は、前記取付ボルト受口部内の取付ボルトを覆う妨害位置と前記取付ボルト受口部の外側の非妨害位置との間で移動可能であり、
前記第１部材は、前記ロックボルトの前記凹所内に配置され、前記ロックボルトが前記延出位置から前記後退位置まで移動するにしたがって、前記ブロック部材を前記妨害位置から前記非妨害位置まで駆動するように構成されていることを特徴とする請求項３５に記載のロック機構。
【請求項４７】
ロック機構であって、
前面と、前記前面から内方に延在する軸スリーブと、を有するロック筐体と、
前記ロック筐体内に少なくとも部分的に配置され、延出及び後退位置間で移動可能なロックボルトと、
手動で駆動されるギアトレインであって、前記ロックボルトに動作可能に係合するように構成され、当該ギアトレインが前記軸スリーブを通って前記ロック筐体の外側から延在する軸シャフトを有する、ギアトレインと、
前記ロック筐体の前記前面に隣接する回路基板を有しかつ手動で駆動される前記ギアトレインの前記ロックボルトへの結合を制御する動作回路を有し、電気回路を備えるコントローラと、
前記軸スリーブに隣接しかつ前記コントローラの前記動作回路に電気的に配線接続された回路破損デバイスであって、前記軸スリーブを介した穿孔が当該回路破損デバイスを破損して当該ロック機構の前記動作回路を動作不能にさせる、回路破損デバイスと、
を備えることを特徴とするロック機構。
【請求項４８】
前記軸スリーブは、外面を有し、
前記回路破損デバイスは、前記軸スリーブの前記外面に位置付けられた少なくとも１つのワイヤを備えることを特徴とする請求項４７に記載のロック機構。
【請求項４９】
前記回路破損デバイスは、前記軸スリーブの前記外面に位置付けられたワイヤのコイルを備えることを特徴とする請求項４８に記載のロック機構。
【請求項５０】
前記回路破損デバイスは、前記軸スリーブの周囲に配置されていることを特徴とする請求項４９に記載のロック機構。
【請求項５１】
前記回路破損デバイスは、前記軸スリーブの前記外面に位置付けられた複数のワイヤを備えることを特徴とする請求項４８に記載のロック機構。
【請求項５２】
前記ロック筐体は、少なくとも部分的に半透明であり、ロックボルト筐体への権限のない穿孔の証拠を明らかにすることを特徴とする請求項４７に記載のロック機構。
【請求項５３】
前記ロック筐体は、ボルト受口部内に配置された少なくとも１つの取付ボルトを有し、
前記ロックボルトは、凹所を有し、
当該ロック機構は、
ブロック部材に結合される第１部材を有する後退ボルトシールドをさらに備え、
前記ブロック部材は、前記取付ボルト受口部内の取付ボルトを覆う妨害位置と前記取付ボルト受口部の外側の非妨害位置との間で移動可能であり、
前記第１部材は、前記ロックボルトの前記凹所内に配置され、前記ロックボルトが前記延出位置から前記後退位置まで移動するにしたがって、前記ブロック部材を前記妨害位置から前記非妨害位置まで駆動するように構成されていることを特徴とする請求項５２に記載のロック機構。
【請求項５４】
前記ロック筐体は、ボルト受口部内に配置された少なくとも１つの取付ボルトを有し、
前記ロックボルトは、凹所を有し、
当該ロック機構は、
ブロック部材に結合される第１部材を有する後退ボルトシールドをさらに備え、
前記ブロック部材は、前記取付ボルト受口部内の取付ボルトを覆う妨害位置と前記取付ボルト受口部の外側の非妨害位置との間で移動可能であり、
前記第１部材は、前記ロックボルトの前記凹所内に配置され、前記ロックボルトが前記延出位置から前記後退位置まで移動するにしたがって、前記ブロック部材を前記妨害位置から前記非妨害位置まで駆動するように構成されていることを特徴とする請求項４７に記載のロック機構。
【請求項５５】
ボルト受口部内に配置された少なくとも１つの取付ボルトを有するロック筐体と、
凹所を有しかつ前記ロック筐体内に少なくとも部分的に配置されたロックボルトであって、当該ロックボルトが、延出及び後退位置間で移動可能である、ロックボルトと、
前記ロックボルトに動作可能に係合するように構成された、手動で駆動されるギアトレインと、
回路基板を含み、かつ手動で駆動される前記ギアトレインの前記ロックボルトへの結合を制御する動作回路を有するコントローラと、
ブロック部材に結合された第１部材を有する後退ボルトシールドであって、前記ブロック部材が、前記取付ボルト受口部内の取付ボルトを覆う妨害位置と前記取付ボルト受口部の外側の非妨害位置との間で移動可能であり、前記第１部材が、前記ロックボルトの前記凹所内に配置され、前記ロックボルトが前記延出位置から前記後退位置まで移動するにしたがって、前記ブロック部材を前記妨害位置から前記非妨害位置まで駆動するように構成されている、後退ボルトシールドと、
を備えることを特徴とするロック機構。
【請求項５６】
前記後退ボルトシールドは、前記第１部材及び前記ブロック部材に結合される駆動ロッドをさらに備えることを特徴とする請求項５５に記載のロック機構。
【請求項５７】
前記駆動ロッドは、前記ロックボルトが前記延出位置から前記後退位置まで移動するにしたがって、前記第１部材の運動を前記ブロック部材の運動に伝達することを特徴とする請求項５６に記載のロック機構。
【請求項５８】
前記第１部材及び前記ブロック部材は、前記駆動ロッド回りに回転することを特徴とする請求項５７に記載のロック機構。
【請求項５９】
前記ロック筐体は、第１ボルト受口部内に配置された第１取付ボルトと、第２ボルト受口部内に配置された第２取付ボルトと、を有し、
前記後退ボルトシールドは、前記第１部材に結合された第２ブロック部材を有し、
前記第２ブロック部材は、前記第２ボルト受口部内の前記第２取付ボルトを覆う妨害位置と、前記第２ボルト受口部内の外側にある非妨害位置と、の間で移動可能であり、
前記第１部材は、前記ロックボルトが前記後退位置から前記延出位置まで移動するにしたがって、前記第２ブロック部材を前記妨害位置から前記非妨害位置まで駆動するように構成されていることを特徴とする請求項５５に記載のロック機構。
【請求項６０】
前記ロック筐体は、少なくとも部分的に半透明であり、ロックボルト筐体への権限のない穿孔の証拠を明らかにすることを特徴とする請求項５５に記載のロック機構。
【請求項６１】
ユーザ入力デバイスと、手動で駆動されるギアトレインと、手動で駆動される前記駆動ギアに向けて係合するように付勢されたボルト後退ギアと、前記ボルト後退ギアに係合されるロックボルトと、ブロック部材と、電気回路を備えるコントローラと、を有するロックを動作させる方法であって、
当該方法は、
前記ボルト後退ギアを前記ブロック部材で妨害して手動で駆動される前記ギアトレインとの前記ボルト後退ギアの係合を防止する工程と、
前記ユーザ入力デバイスからユーザの入力情報を記録する工程と、
ユーザの入力情報が前記コントローラに記憶された認証情報と一致するか検証する工程と、
ユーザの入力情報が検証された後に、前記ブロック部材を前記ボルト後退ギアから係合解除し、前記ボルト後退ギアが手動で駆動される前記ギアトレインと係合することを可能とする工程と、
前記ギアトレインと前記ボルト後退ギアとを手動で駆動させることによって、前記ロックボルトを後退位置まで駆動する工程と、
を備えることを特徴とする方法。
【請求項６２】
前記ロックは、後退可能なボルトシールドと、ボルト受口部内の少なくとも１つの取付ボルトと、をさらに有し、
当該方法は、
前記ギアトレインと前記ボルト後退ギアとを手動で駆動することによって、前記ロックボルトを延出位置まで駆動する工程と、
前記ロックボルトを前記後退位置から前記延出位置まで移動させるにしたがって、後退可能な前記ボルトシールドを前記取付ボルト受口部内の前記取付ボルトを覆うようにスライドさせる工程と、
をさらに備えることを特徴とする請求項６１に記載の方法。
【請求項６３】
前記ロックは、発光ダイオード（ＬＥＤ）を有し、
当該方法は、
前記ロックボルトが前記後退位置にある間に、１０秒ごとに１回だけ単一の赤色ＬＥＤを作動させて点滅させる工程をさらに備えることを特徴とする請求項６２に記載の方法。
【請求項６４】
前記コントローラによって、最後に認証が成功してから認証の試みが不成功であった数に関するパラメータを記憶する工程と、
前記ユーザ入力デバイスからユーザの入力情報を記録する工程の前に、記憶された前記パラメータに等しい数の回数だけ単一の赤色ＬＥＤを作動させて点滅させる工程と、
をさらに備えることを特徴とする請求項６３に記載の方法。
【請求項６５】
前記ロックは、変更キーをさらに備え、
当該方法は、
前記変更キーを前記ロックに挿入し、設定モードを作動させる工程と、
前記ユーザ入力デバイスから第１組のユーザの入力情報を記録する工程と、
前記ユーザ入力デバイスから第２組のユーザの入力情報を記録する工程と、
前記第１及び第２組のユーザの入力情報を平均化する工程と、
前記コントローラに記憶されている前記認証情報を平均化したユーザ入力情報に置換する工程と、
をさらに備えることを特徴とする請求項６４に記載の方法。
【請求項６６】
手動で駆動されるギアトレインと、前記ギアトレインに動作可能に結合されるロックボルトと、後退可能なボルトシールドと、ボルト受口部内にある少なくとも１つの取付ボルトと、を有するロックを動作させる方法であって、
当該方法は、
前記ギアトレインを手動で駆動することによって、前記ロックボルトを後退位置か延出位置まで駆動する工程と、
前記ロックボルトを前記後退位置から前記延出位置まで移動させるにしたがって、後退可能な前記ボルトシールドを前記取付ボルト受口部内の前記取付ボルトを覆うようにスライドさせる工程と、
を備え、
前記ロックは、ユーザ入力デバイスとコントローラとを有し、
前記ユーザ入力デバイスからユーザの入力情報を記録する工程と、
ユーザの入力情報が前記コントローラに記憶された認証情報と一致するか検証する工程と、
前記コントローラによって、最後に認証が成功してから認証の試みが不成功であった数に関するパラメータを記憶する工程と、
前記ユーザ入力デバイスからユーザの入力情報を記録する工程の前に、記憶された前記パラメータに等しい数の回数だけ単一の赤色ＬＥＤを作動させて点滅させる工程と、
をさらに備えることを特徴とする方法。
【請求項６７】
前記ロックは、発光ダイオード（ＬＥＤ）を有し、
当該方法は、
前記ロックボルトが前記後退位置にある間に、１０秒ごとに１回だけ単一の赤色ＬＥＤを作動させて点滅させる工程をさらに備えることを特徴とする請求項６６に記載の方法。
【請求項６８】
前記ロックは、変更キーをさらに備え、
当該方法は、
前記変更キーを前記ロックに挿入し、設定モードを作動させる工程と、
前記ユーザ入力デバイスから第１組のユーザの入力情報を記録する工程と、
前記ユーザ入力デバイスから第２組のユーザの入力情報を記録する工程と、
前記第１及び第２組のユーザの入力情報を平均化する工程と、
前記コントローラに記憶されている前記認証情報を平均化したユーザ入力情報に置換する工程と、
をさらに備えることを特徴とする請求項６６に記載の方法。
【請求項６９】
前記ロックボルトが前記後退位置にある間に、１０秒ごとに１回だけ単一の赤色ＬＥＤを作動させて点滅させる工程をさらに備えることを特徴とする請求項６６に記載の方法。
【請求項７０】
前記ロックは、発光ダイオード（ＬＥＤ）をさらに備え、
当該方法は、
前記ロックボルトが前記後退位置にある間に、１０秒ごとに１回だけ単一の赤色ＬＥＤを作動させて点滅させる工程をさらに備えることを特徴とする請求項６６に記載の方法。
【請求項７１】
発光ダイオード（ＬＥＤ）と、ユーザ入力デバイスと、電気回路を備えるコントローラと、を有するロックを動作させる方法であって、
当該方法は、
前記ユーザ入力デバイスから第１のユーザの入力情報を記録する工程と、
第１のユーザの入力情報が前記コントローラに記憶された認証情報と一致するか検証する工程と、
前記コントローラによって、最後に認証が成功してから認証の試みが不成功であった数に関するパラメータを記憶する工程と、
前記ユーザ入力デバイスから第２のユーザの入力情報を記録する工程の前に、記憶された前記パラメータに等しい数の回数だけ単一の赤色ＬＥＤを作動させて点滅させる工程と、
をさらに備えることを特徴とする請求項６１に記載の方法。
【請求項７２】
前記ロックは、変更キーをさらに備え、
当該方法は、
前記変更キーを前記ロックに挿入し、設定モードを作動させる工程と、
前記ユーザ入力デバイスから第１組のユーザの入力情報を記録する工程と、
前記ユーザ入力デバイスから第２組のユーザの入力情報を記録する工程と、
前記第１及び第２組のユーザの入力情報を平均化する工程と、
前記コントローラに記憶されている前記認証情報を平均化したユーザ入力情報に置換する工程と、
をさらに備えることを特徴とする請求項７１に記載の方法。
【請求項７３】
ユーザ入力デバイスと、電気回路を備えるコントローラと、変更キーと、を有するロックを動作させる方法であって、
当該方法は、
前記変更キーを前記ロックに挿入し、設定モードを作動させる工程と、
前記ユーザ入力デバイスから第１組のユーザの入力情報を記録する工程と、
前記ユーザ入力デバイスから第２組のユーザの入力情報を記録する工程と、
前記第１及び第２組のユーザの入力情報を平均化する工程と、
前記コントローラに記憶されている認証情報を平均化したユーザ入力情報に置換する工程と、
をさらに備えることを特徴とする方法。
【発明の詳細な説明】
【技術分野】
【０００１】
関連出願の相互参照
本願は、２００８年９月５日に出願し、安全性の高いロックと題された米国仮特許出願第６１／０９４７３０の優先権を主張し、その開示のすべては、全体を参考として本明細書に組み込まれる。
【０００２】
技術分野
本願は、概してロック、より具体的には、金庫及び他のセキュリティ構造体または分野で使用されるように構成された安全性の高いロックに関する。
【背景技術】
【０００３】
非常に機密な文章及び所有価値の高い物品は、しばしば金庫または他の構造体内に保管される。構造体は、主として、ロック機構を有しており、構造体は、機構のロック解除を手助けする所定の組合せコードが託された限られた数人によってのみアクセス可能であるように設計されている。権限のない人は、単純なピッキング用具、及びロック機構に高い機械的力または電界もしくは磁界をかけてロック機構内の構成要素を操作する高性能な器具を用いる。
【０００４】
ピッキングで使用される用具がより高性能になるにしたがって、ロック機構は、これら高性能なピッキング方法に耐えるように改良されている。機械的及び／または電気的素子は、ロックで使用されており、構造体を破ろうとする可能性のある権限のない人に対する複雑なバリアを提供する。しかしながら、権限のない人は、これら改良型ロック機構であっても、ロック筐体の開口部を通ってロック機構の内部へ穿孔することを含みながら、取り組み続ける。頻繁に攻撃を受けるロック筐体の所定位置には、ダイヤル錠から軸シャフトがロック筐体に入る取付ボルト及び軸マウントが挙げられる。
【０００５】
さらに、構造体を破ろうとする権限のない人には、ロック機構のセキュリティ素子を打開するためにダイヤル錠に高加速を与えるデバイスを使用することが知られている。ギアトレインを高加速することにより、ロックボルトを制御するギアを回転させ、正確な組合せを入力することなくロック機構をロック解除させる。これら高加速デバイスは、いわゆる自動ダイヤル装置を含み、これは、正確な組合せを検出するまで可能性のある組合せすべてを迅速に試す。権限のない人がこの方法でロック機構を開けることができなくても、高加速によってギアトレインのギア歯を迅速に衝突させることにより、高い頻度でギアトレインが損傷し、ロック機構の動作を不正確にする。また、ギア歯の衝突は、可聴情報を提供し、これは、権限のない人が検出できかつ機構をロック解除するように作動させるプログラムされた組合せを判断するために使用する。
【０００６】
その上、改良型ロック機構は、政府管轄下の構造体及び格納デバイスで使用するために、厳しい政府規格を満たさなければならない。例えば、該当する米国政府規格の厳密性は、全連邦政府機関で使用するための「連邦規格：ロック、組合せ」と題された１９８９年１０月１２日付の連邦規格FF-L-2740からすでに分かる。第３．４．７章の「組合せの再ダイヤル」では、ロックボルトをいったんそのロック位置まで延出させると、「ロックされた組合せを再度ダイヤルしないと再度開けることができない」こと、を必要とする。第３．６．１．３章の「解放解析」では、具体的な期間内にロックを密かに解放するのに使用されることがある音または他の信号を発しないこと、を必要とする。さらに、米国政府が課す要件には、「連邦規格：機械的ダイヤル錠」と題された２００５年１月３１日付の連邦規格FF-L-2937が含まれる。この文章において、第４．７．４章の「耐久試験」では、サンプルのロックが、正確な組合せが機能的に設定されていることを確実にするために、「組合せの変更であって各変更後に３回の開閉の検証を含む組合せの変更を５０回繰り返す」こと、を必要とする。第４．７．７章の「権限のない解放に対する耐久試験」は、ロックが少なくとも２０時間の期間でコンピュータを利用した機械的操作または自動ダイヤルによって解放されないこと、を必要とする。
【発明の概要】
【発明が解決しようとする課題】
【０００７】
したがって、望ましいことは、安全性の高いロックを改良し、代表的な政府規格を完全に準拠しつつ、ロック機構における頻繁に攻撃を受ける領域に対処することである。
【課題を解決するための手段】
【０００８】
ロック機構は、延出及び後退位置間で移動可能なロックボルトを有する。ロックボルトは、係合及び係合解除位置間で移動可能なボルト後退ギアに結合されている。係合位置において、ボルト後退ギアは、手動で駆動されるギアトレインと係合する。また、ロック機構は、ユーザの入力情報を受けるユーザ入力デバイスと、ユーザの入力情報を記憶した認証情報と検証するコントローラと、を有する。ユーザの入力情報の検証を検出すると、コントローラは、回転可能な出力素子を有するアクチュエータを始動させ、回転可能な出力素子は、移動してボルト後退ギアを係合解除位置から係合位置まで移動させることを可能とする。その後、ユーザは、手動でギアトレインを駆動し、必要に応じてロックボルトを後退または延出させる。
【０００９】
代替の態様において、ロック機構は、延出位置と後退位置との間で移動するロックボルトを有する。ロックボルトは、手動で駆動されるギアトレインと動作可能に係合するボルト後退ギアに結合されている。ギアトレインは、軸ギアと、ボルト後退ギアと係合する駆動ギアと、を有し、駆動ギアは、除去部分を有する駆動ギアを有する。駆動ギアは、駆動ギアが軸ギアと係合する係合位置と、除去部分が軸ギアと向かい合う係合解除位置と、の間で移動可能である。また、ロック機構は、ユーザの入力情報を受けるユーザ入力デバイスと、ユーザの入力情報を記憶した認証情報と検証するコントローラと、を有する。ユーザの入力情報の検証を検出すると、コントローラは、回転可能な出力素子を有するアクチュエータを始動させ、回転可能な出力素子は、移動してボルト後退ギアが駆動ギアを係合解除位置から係合位置まで回転させることを可能とする。その後、ユーザは、手動でギアトレインを駆動し、必要に応じてロックボルトを後退または延出させる。
【００１０】
別の代替の態様において、ロック機構は、延出位置と後退位置との間で移動するロックボルトを有する。ロックボルトは、ボルト後退ギアに動作可能に結合されている。ロック機構は、手動で駆動される軸ギアと、駆動シャフトに取り付けられた駆動ギアと、を有する。駆動ギアは、第１及び第２除去部分を有し、駆動ギアが軸ギア及びボルト後退ギア双方と係合する係合位置と、第１除去部分が軸ギアと向かい合いかつ第２除去部分がボルト後退ギアと向かい合う係合解除位置と、の間で移動可能である。また、ロック機構は、また、ロック機構は、ユーザの入力情報を受けるユーザ入力デバイスと、ユーザの入力情報を記憶した認証情報と検証するコントローラと、を有する。ユーザの入力情報の検証を検出すると、コントローラは、駆動ギアを係合解除位置から係合位置まで移動させる駆動シャフトと結合されたアクチュエータを始動させる。その後、ユーザは、手動でギアトレインを駆動し、必要に応じてロックボルトを後退または延出させる。
【００１１】
代替の態様において、ロック機構は、前面と前面から内方に延在する軸スリーブとを有するロック筐体を有する。また、ロック機構は、ロックボルトに結合されて延出及び後退位置間で駆動ボルトを移動させるように構成された手動で駆動されるギアトレインを有する。ギアトレインは、ロック筐体の外側から軸スリーブを通って延在する軸シャフトを有する。ロック機構は、ロック筐体の前面に隣接する回路基板とギアトレインとのロックボルトの結合を制御する動作回路とを有するコントローラをさらに有する。回路破損デバイスは、軸スリーブに隣接しており、コントローラの動作回路に配線接続されている。軸スリーブを介してロック筐体を破損する権限のない試みは、回路破損デバイスを破損させ、これにより、ロック機構の動作回路は、動作不能とされる。
【００１２】
さらに別の代替の態様において、ロック機構は、ボルト受口部内に配置された取付ボルトを有するロック筐体を有する。また、ロック機構は、凹所を有しかつロック筐体の延出及び後退位置間で移動可能なロックボルトを有する。ロック機構は、ブロック部材に結合された第１部材を有する後退ボルトシールドを有する。ブロック部材は、ボルト受口部内の妨害位置と、取付ボルトがロック筐体の外部からアクセス可能である非妨害位置と、の間で移動可能である。第１部材は、ロックボルトの凹所内に配置されており、ロックボルトが延出位置から後退位置に移動するにしたがって、レバー部材は、ブロック部材を駆動し、妨害位置から非妨害位置まで移動させる。
【００１３】
別の代替の態様において、ロック機構は、ロック筐体と、ロック筐体内に少なくとも部分的に配置されかつ延出位置と後退位置との間で移動可能なロックボルトと、を有する。また、ロック機構は、ロックボルトに動作可能に結合されてロックボルトを上記位置間で駆動させるように構成された手動で駆動されるギアトレインと、ロックボルトとギアトレインとの結合を制御する動作回路を有するコントローラと、を有する。ロック筐体は、少なくとも部分的に半透明であり、ロックボルト筐体に侵入する権限のない試みの証拠を明らかにする。
【００１４】
ロックを動作させる方法は、ユーザ入力デバイスからのユーザの入力情報を記録する工程を有する。コントローラは、ユーザの入力情報が記憶された認証情報と一致することを検証する。方法は、ボルト後退ギアを移動させて手動で駆動されるギアトレインと係合させる。そして、方法は、ギアトレイン及びボルト後退ギアを手動で駆動することによって、ロックボルトを後退位置に駆動させる工程を有する。
【００１５】
別の代替の態様において、ロックを動作させる方法は、ギアトレインを手動で駆動させることによって、ロックボルトを後退位置から延出位置まで駆動させる工程を有する。方法は、ロックボルトが後退位置から延出位置まで移動するにしたがって、ボルト受口部内の取付ボルトを覆うように後退可能なボルトシールドをスライドさせる工程を有する。
【００１６】
さらに別の代替の態様において、ロックを動作させる方法は、ロックボルトが後退位置にある間に、１０秒ごとに１回だけＬＥＤを発光ダイオードの１回の赤色点滅を作動させる工程を有する。
【００１７】
代替の態様において、ロックを動作させる方法は、ユーザ入力デバイスからのユーザの入力情報を記録する工程を有する。コントローラは、ユーザの入力方法が記憶された認証情報と一致することを検証する。方法は、最後に認証が成功してから認証の試みが不成功であった数に関するパラメータを記憶する工程を有する。方法は、ユーザ入力デバイスからユーザの入力情報を記録する工程の前に、記憶したパラメータに等しい数の回数だけＬＥＤの１回の赤色点滅を作動させる工程を有する。
【００１８】
別の代替の態様において、ロックを動作させる方法は、変更キーをロックに挿入して設定モードに入る工程を有する。方法は、ユーザ入力デバイスから第１組のユーザの入力情報と第２組のユーザの入力情報とを記録する工程を有する。そして、上記組のユーザの入力情報は、平均化され、コントローラに記憶された認証情報は、平均化されたユーザの入力情報で置換される。
【００１９】
添付の図面は、本明細書に組み込まれかつ本明細書の一部を構成し、本発明の実施形態を示し、上記発明の概略的な説明及び以下の実施形態の詳細な説明と共に、本発明の原理を説明する機能を果たす。
【図面の簡単な説明】
【００２０】
【図１】本発明の一実施形態にしたがって構成された安全性の高いロックを示す斜視図である。
【図２】図１に示すロックを示す分解斜視図である。
【図３】ロックを示す分解後方斜視図である。
【図４】ロックを示す長手方向中心軸に沿う断面斜視図である。
【図５】ロック筐体及びボルト後退ハードウエアを示す分解斜視図である。
【図６】ボルト後退ハードウエアを示す部分分解斜視図である。
【図７】ボルト後退組立体を示す斜視図である。
【図８Ａ】ボルトが延出またはロック位置にあるボルト後退ハードウエアを示す部分破断正面図である。
【図８Ｂ】ボルト後退手順の初期部分を示す、図８Ａと同様の正面図である。
【図８Ｃ】ボルトの完全な後退位置と関連するボルト後退ハードウエアとを示す、図８Ｂと同様の正面図である。
【図９Ａ】図８Ａの線９Ａ−９Ａに沿う断面図である。
【図９Ｂ】図８Ｂの線９Ｂ−９Ｂに沿う断面図である。
【図９Ｃ】図８Ｃの線９Ｃ−９Ｃに沿う断面図である。
【図１０】ロック筐体が部分的に分解されて回路破損コイルを示す、図１のロックを示す後方斜視図である。
【図１１】代替の実施形態におけるロック筐体及びボルト後退ハードウエアを示す分解斜視図である。
【図１２】図１１のボルト後退ハードウエア及び後退する取付ネジシールドを示す分解斜視図である。
【図１３】図１１のボルト後退ハードウエア及び後退する取付ネジシールドを示す斜視図である。
【図１４Ａ】ボルト後退ハードウエアがロック位置にある、図１１の後退する取付ネジシールドを示す正面図である。
【図１４Ｂ】ボルト後退手順の初期位置を示す、図１４Ａと同様の正面図である。
【図１４Ｃ】ボルトの完全な後退位置と後退する取付ネジシールドの関連する回転とを示す、図１４Ａと同様の正面図である。
【図１５Ａ】ボルトが延出またはロック位置にあるボルト後退ハードウエアを示す、別の代替の実施形態におけるロックを示す部分破断正面図である。
【図１５Ｂ】ボルト後退手順の初期位置を示す、図１５Ａと同様の正面図である。
【図１５Ｃ】ボルトの完全な後退位置と関連するボルト後退ハードウエアとを示す、図１５Ａと同様の正面図である。
【図１６Ａ】ボルトが延出またはロック位置にあるボルト後退ハードウエアを示す、別の代替の実施形態におけるロックを示す部分破断正面図である。
【図１６Ｂ】ボルト後退手順の初期位置を示す、図１６Ａと同様の正面図である。
【図１６Ｃ】ボルトの完全な後退位置と関連するボルト後退ハードウエアとを示す、図１６Ａと同様の正面図である。
【図１７Ａ】ボルトが延出またはロック位置にあるボルト後退ハードウエアを示す、図１６Ａのロックを示す背面図である。
【図１７Ｂ】ボルト後退手順の初期位置を示す、図１６Ａと同様の背面図である。
【図１７Ｃ】ボルトの完全な後退位置と関連するボルト後退ハードウエアとを示す、図１６Ａと同様の背面図である。
【図１８】ロック筐体の権限のない改竄からの視認可能な損傷を示す、別の代替の実施形態におけるロックを示す後方斜視図である。
【図１９Ａ】一実施形態におけるロックのための動作モードの制御論理を示すフローチャートである。
【図１９Ｂ】同様に、一実施形態におけるロックのための動作モードの制御論理を示すフローチャートである。
【図２０】一実施形態におけるロックのための設定モードの制御論理を示すフローチャートである。
【発明を実施するための形態】
【００２１】
図１は、例えば構造体のドア１２に結合された安全性の高いロック１０の一実施形態を示しており、このロックは、ロック筐体１４と、ユーザ入力デバイス１５と、を有する。ロック１０のこの実施形態におけるユーザ入力デバイス１５は、ダイヤル筐体１６内に配置された機械的ロックダイヤル２４である。塵埃カバー１８は、例えばスナップ嵌合コネクタ２０を介して取り外し可能な態様でダイヤル筐体１６に結合されてもよく、ロックダイヤル２４が延出する開口部２２を有する。ダイヤル２４は、数字の組合せを入力するために回転されており、後述するように、組合せの数字は、ミラー２８の反射を介してダイヤル筐体１６にある窓部２６を通して視認可能である。
【００２２】
図２は、ユーザ入力デバイス１５及びその内容物を示す分解図である。ダイヤル２４は、ユーザによって手で把持される突出部分３０と、その背面に数字の組合せの数字３４（図３参照）を有する平面部分３２と、を有する。真鍮のインサート３６は、ネジ固定具３８を用いてダイヤル２４に強固に固定されている。真鍮のインサート３６は、ダイヤル２４に重量を付与し、ダイヤル筐体１６の部分４０に対して回転するための支持部材を提供する。ダイヤル筐体１６は、ダイヤル平面部分４０の背面にある数字をミラー２８の反射を介して視認することを可能とするための窓部４２、４４を有する。ＬＥＤ表示発光部４６は、組合せの入力の表示をもたらすためにさまざまな方法で設けられ、使用されてもよい。標準的な９ボルトのバッテリのようなバッテリ４８は、バッテリドア５０を通してダイヤル筐体１６内に取り外し可能に配置されており、後述する電気回路及びサーボモータに電力を供給する。回転軸シャフト５２は、正確な組合せコードを入力すると、ダイヤル２４の回転をボルト後退ハードウエアに伝達するために設けられている。
【００２３】
図３は、ロック１０を示す背面斜視図であり、ロック筐体１４から延出するロックボルト５４を示している。シャフト５２は、ロック筐体１４の背面５６を通って延出し、ダイヤル２４を回転するとシャフト５２の回転を可能とする態様でナット５８によって固定されている。図３にさらに示されるように、ダイヤル平面部分３２の背面は、組合せ数字を有しており、これは、ミラー２８（図２）で反射されると、ユーザが視認可能となる。
【００２４】
図４は、ロック１０長手方向断面斜視図を示しており、このロックは、上述したさまざまな構成部材を有している。特に、軸シャフト５２は、ダイヤル筐体１６及びロック筐体１４を通って完全に延出して示されている。１以上の軸スリーブ６０は、その長さに沿って軸シャフト５２を収容する。このようなスリーブ６０は、ロック筐体１４内に不意な侵入と、シャフト５２が取り外された場合にさまざまなボルト後退ハードウエアへのアクセスと、を防止する。
【００２５】
図５を参照すると、ロック筐体１４は、分解形態で示されており、回路基板６２及びさまざまなロックボルト後退ハードウエアを示し、これは、ボルト案内部材６４と、ボルト５４と、ボルト後退ギア６８と、アクチュエータ７０と、回動ブロック７２と、回動ブロック７２に固定されかつアクチュエータ７０の回転出力素子７６を覆うためのカバー７４と、を有する。ロック筐体１４は、前方筐体半体１４ａと、後方筐体半体１４ｂと、を有する。回路基板６２は、前方筐体半体１４ａの前方内面に配置されている。したがって、ドリルを使用してドア１２の外側からロック筐体１４内に穿孔する場合、ドリルのビットは、まず、回路基板６２と接触し、ロック１０をほぼ無能にし、このため、侵入をより困難とする。軸ギア７８は、回転するために軸シャフト５２及び接続されたダイヤル２４（図４）に結合されている。軸ギア７８は、駆動ギア素子８０の第１ギア部分８０ａと噛合している。駆動ギア素子８０の反対側のまたは第２ギア部分８０ｂは、後方筐体半体１４ｂにある開口部８２を通って延出し、図６及び図７に示すように正確な組合せコードを入力すると、ボルト後退ギア６８と噛合する。エンコーダ８４は、シャフト５２の回転を介して組合せコードの入力を検出するために使用され、電気回路６２にある適切な制御回路と連動して使用される。
【００２６】
図８Ａから図８Ｃ及び図９Ａから図９Ｃと共に図６及び図７を参照して、ボルトの後退手順を説明する。エンコーダ及びコントローラによって認識されるように正確な組合せコードを入力すると、アクチュエータ７０は、作動され、その出力素子７６は、回転する。出力素子７６は、ピン７６ａを有し、このピンは、回動ブロック７２（図５）にあるスロット８６を通って回転しかつボルト後退ギア６８にあるスロット６８ｃを通って移動する。通常、このピン７６ａは、例えば図８Ａに示すように、ボルト後退ギア６８の回転を防止する。しかしながら、図８Ａから図８Ｃに示すように、アクチュエータ７０の出力素子７６が回転してピン７６ａを下方に移動させると、これは、ボルト後退ギア６８が図８Ａから図８Ｃに示すように時計回りに移動または回転することを可能とし、それは、駆動ギア素子８０の第２部分８０ｂと係合する。図示されていないが、ボルト後退ギア６８は、例えばバネ力が小さいトーションバネによって若干バネ付勢されており、ボルト後退ギア６８は、アクチュエータ７０が作動するまで図８Ｂに示す位置まで時計回り方向に付勢する。いったんギア６８、８０ｂを図８Ｂに示すように係合すると、ダイヤル２４は、手動で回転され、駆動ギア素子８０は、軸ギア７８との第１駆動ギア部分８０ａの係合を介して回転される。図８Ａから図８Ｃに示すように、軸ギア７８は、キー８８によってシャフト５２に結合されている。図８Ｂに示すように、ボルト後退ギア６８を駆動ギア部分８０ｂと係合すると、ボルト後退ギア６８は、その回動軸６８ａ回りで回転し、ボルト後退ギア６８に固定されたピン６８ｂは、ボルト案内部材６４の凹所６４ａとボルト案内部材６４の湾曲スロットまたはピンガイド９０の端部９０ａ（図５）とに載置される位置から出て上昇する。また、ピン６８ｂは、ボルト５４にあるスロット５４ａを通って延出し、ボルト後退ギア６８が回転するにしたがって、ピン６８ｂは、図８Ｂ及び図８Ｃに示すように、スロット５４ａ内を上方向けて上昇し、同時に、ボルト５４をロック筐体１４内へボルト案内部材６４を通って移動させる。ダイヤル２４、シャフト５２及びギア７８、８０、６８を逆方向に回転させることにより、ボルト５４をその完全に延出した位置まで延在させ、ボルト後退ギア６８は、ピン７６ａによって図８Ａに示す初期位置まで復帰される。その際、出力素子７６は、バネ９２を用いてバネ付勢されており、アクチュエータ７０を作動停止すると、バネ９２は、ピン７６ａを図９Ａに示す初期位置まで復帰させ、出力素子７６のバネ力は、ボルト後退ギア６８を図８Ａに示す初期位置まで復帰させるのに十分に強力である。
【００２７】
ダイヤル平面部分３２とミラー２８とを用いることにより、空間が十分である態様でダイヤル筐体１６内にバッテリ４８を配置することが可能となる。ロック筐体部分１４ａ、１４ｂは、互いに機械的に固定されており、これらをこじ開けると、ロック筐体１４を互いに固定している機械的素子（図示略）は、破損する。当然のことながら、ロック筐体１４から延出するボルト９４は、ロック筐体部分１４ａ、１４ｂを互いに固定しておらず、単にロック筐体１４を例えばドア１２に固定する機能を果たす。ロックへの別の不正な侵入方法は、外側からハンマーを用いて軸シャフト５２をロック１０に通させることを必要とする。しかしながら、このロックにおいて、これは、筐体１４が動かず、したがって、他の安全性の高いロックで使用されているような「再ロック」機能を必要としない。アクチュエータ７０は、図示の実施形態においてサーボモータ７０である。マイクロサーボのようなサーボモータ７０を用いることは、例えばステップモータとは対照的に、利点を有する。例えば、サーボモータ７０は、比較的複雑なギアトレインを有しており、このギアトレインは、上述のように、単に部分的な回転を介して出力素子７６を回転させるために複数回転を必要とする。このため、サーボモータ７０は、いくつかの不正な方法で動作させること困難である．ボルト後退ギア６８で使用されているピン６８ｂは、図８Ａに示すようにロックボルト５４が延出した状態で、そのホーム位置において凹所内に載置される。したがって、ロックボルト５４を不正な試みで内方に向けて押し込んでロック１０を危険にさらす場合、力は、ギアトレインに対して掛からず、むしろボルト案内部材６４に掛かり、このボルト案内部材は、大きな力に耐えるように設計されかつ構成されている。
【００２８】
図１０を参照すると、ロック１０は、回路破損デバイス９６をさらに有する。図示の実施形態における回路破損デバイス９６は、第１端部９６ａ及び第２端部９６ｂを有する連続的な導電ワイヤからなり、各端部９６ａ、９６ｂは、回路基板６２に電気的に接続されている。回路破損デバイス９６は、ロック１０のための初期制御回路内に一体的に接続されており、回路破損デバイス９６が破損すると、ロック１０は、動作不能になる。図１０に示すように、回路破損デバイス９６は、軸スリーブ６０に近接して配置されており、このスリーブは、シャフト５２がロック筐体１４に入るように軸シャフト５２を運ぶ。ロック１０を破ろうとする権限のない人は、ユーザ入力デバイス１５を取り外し、そしてロック筐体１４の前方開口部において軸スリーブ６０を穿孔しようとする。しかしながら、軸スリーブ６０を介したロック筐体１４に不正に侵入する試みは、回路破損デバイス９６を破損させ、このため、ロック１０へのこの攻撃方法を阻止する。回路破損デバイス９６は、図１０においてコイルとして示されており、このコイルは、軸スリーブ６０に巻回されている。当業者が理解することは、回路破損デバイス９６が複数のワイヤを備えてもよいことである。
【００２９】
図１１から図１４Ｃを参照すると、ロック１１０の別の実施形態が示されている。図１１におけるロック筐体１４と内部ロックハードウエアとの分解図において最も明確に示されるように、ロック１１０は、回路基板６２、ボルト後退ギア６８及びアクチュエータ７０のような第１実施形態のロック１０と同様の素子を多数有している。この応用において、参照符号は、説明したさまざまな実施形態における同様の素子について同様のままとしている。この実施形態におけるロック１１０は、図６から図９Ｃに示されかつ上述したものと同じボルト後退手順に従い、ロック１１０は、別のロックボルト１１２及び後退ボルトシールド１１４を有する。ロックボルト１１２は、ボルト後退ギア６８のピン６８ｂを受けるように構成されたスロット１１２ａを有する。ロックボルト１１２は、以下で詳述するように、後退ボルトシールド１１４で使用される向かい合う一対の凹所１１２ｂと、ボルト延出部１１２ｃと、をさらに有する。ボルト延出部１１２ｃは、ネジ固定具１１６によってロックボルト１１２に結合されており、このネジ固定具は、ボルト延出部１１２ｃをロックボルト１１２に配置するとボルト延出部１１２ｃの外面と同一平面に配置されている。図１１の実施形態において、ボルト延出部１１２ｃは、約１／１０（０．１００）インチから３／１６（０．１８７５）インチ（約２．５４ｍｍから４．７６２５ｍｍ）の厚さを有する。さまざまな政府受託業者は、米国政府のためにロックを製造しており、初期のロック製造者の１つは、後退するとロック筐体と同一平面になるロックボルトを設計し、一方、別の初期のロック製造者は、後退するとロック筐体を約３／１６（０．１８７５）インチだけ越えて延出するロックボルトを設計した。ボルト延出部１１２ｃは、選択したドア１２に必要な場合に、ロックボルト１１２に追加される。このため、ロックボルト１１２は、任意のタイプのドアに使用するように構成される。
【００３０】
前の実施形態で示されるように、ロック筐体１４の取付ボルト９４は、ロック筐体１４の背面５６からアクセス可能となっている。この背面５６にアクセスする権限のない人は、取付ネジ９４を取り外し、ロック筐体１４を異なる機構のロック本体に置換し、これにより、ロック１１０を危険にさらす。この問題に対処するため、現在の実施形態におけるロック１１０は、後退ボルトシールド１１４を有する。図１１及び図１２に示すように、ロック１１０は、改良型のボルト案内部材１１８を有する。ボルト案内部材１１８は、ボルト後退ギア６８のピン６８ｂを係合させるための凹所１１８ａ及び湾曲スロット１２０を有したままである。また、ボルト案内部材１１８は、ボルト案内部材１１８の両側に形成された長手方向を向く一対の開口部１１８ｂを有する。これら長手方向を向く開口部１１８ｂは、横方向を向くスロット１１８ｃと連通しており、スロット１１８ｃは、ボルト案内部材１１８の端部から取付ボルト９４を保持する長手方向の受口部１２２まで延在する。後退ボルトシールド１１４は、非円形の開口部１２４ａを有するブロック部材１２４と、非円形の開口部１２６ａを有する第１部材１２６と、ブロック部材１２４を非円形の開口部１２４ａ、１２６ａにおいて第１部材１２６に動作可能に結合する非円形の駆動ロッド１２８と、を有する。図１３に最も明確に示すように、駆動ロッド１２８は、ボルト案内部材１１８の長手方向を向く一方の開口部１１８ｂの内に位置付けられ、ブロック部材１２４は、一方の横方向のスロット１１８ｃ内に少なくとも部分的に配置されている。駆動ロッド１２８及び関連する開口部１２４ａ、１２６ａは、図示の実施形態において六角形をなしているが、当業者が理解することは、任意の代替の非円形状をこれら素子に選択してもよいことである。第１部材１２６は、ロックボルト１１２、より具体的には、ロックボルトにある一方の凹所１１２ｂと係合するように構成されている。
【００３１】
後退ボルトシールド１１４の動作は、図１４Ａから図１４Ｃの手順で示されている。図１４Ａにおいて、ボルト後退ギア６８は、単にギアトレイン７８、８０と係合しており、ロックボルト１１２の後退処理を開始する。ロックボルト１１２が延出位置にあると、ブロック部材１２４ロック１１０のボルト側にある取付ボルト９４を完全に隠す。図１４Ｂにおいて、ボルト後退ギア６８は、移動してロックボルト１１２を部分的に後退させる。この動作状態において、ブロック部材１２４は、第１部材の第１端部１２６ｂがロックボルトの凹所１１２ｂ内で移動しているが回転していないので、取付ボルト９４を隠し続ける。ボルト後退ギア６８がロックボルト１１２を後退し続けるにしたがって、凹所１１２ｂは、第１部材１２６を図１４Ｃに示す位置まで回転させる。いったんロックボルト１１２をその位置まで完全に後退させると、駆動ロッド１２８は、第１部材１２６の運動をブロック部材１２４に伝達し、取付ロッド９４を露出させる。軸ギア７８がボルト後退ギア６８及びロックボルト１１２を延出またはロック位置まで後退させるように駆動すると、第１部材１２６は、再度ロックボルトの凹所１１２ｂと係合し、図１４Ａにおける位置まで回転して戻る。このため、後退ボルトシールド１１４は、権限のない人が取付ボルト９４を取り外すことによってロック１１０に手を加えようとすることを防止する。
【００３２】
同様の図示しない実施形態において、後退ボルトシールド１１４は、第２の一対のブロック部材を有し、このブロック部材が、単純な連結機構を介してボルト側のブロック部材１２４と共に回転するために結合されてもよい。この実施形態において、ボルト側のブロック部材１２４は、ロックボルト１１２が延出すると、ロック１１０の一方側にある取付ボルト９４を隠し、第２の一対のブロック部材は、ロックボルトが後退すると、ロック１１０の反対側にある取付ボルト９４を隠す。このため、権限のない人は、４つの取付ボルト９４すべてにアクセスするために、組合せを用いてロック１１０を操作する必要がある。
【００３３】
図１５Ａから図１５Ｃを参照すると、さらなる実施形態におけるロック２１０が示されている。ロック２１０は、一部変更した状態で、図８Ａから図９Ｃに示す上述したボルト後退手順とほぼ同様のボルト後退手順で動作する。ロック２１０は、軸ギア２１２と、軸ギア２１２に係合するように構成された第１駆動ギア部分２１４ａ及びと第２駆動ギア部分２１４ｂを有する駆動ギア２１４と、第２駆動ギア部分２１４ｂと係合するように構成されたボルト後退ギア２１６と、を有する。前の実施形態と同様に、ボルト後退ギア２１６は、回動軸２１６ａ及びピン２１６ｂを有しており、このピンは、ロックボルト５４及びボルト案内部材６４の対応するスロット５４ａ、９０内を動く。前の実施形態とは異なり、ボルト後退ギア２１６は、図１５Ａに示すようにロックボルト５４が完全に延出すると、第２駆動ギア部分２１４ｂと係合したままである。２歯分の除去部２２０は、第１駆動ギア部分２１４ａに形成されている。第１駆動ギア部分２１４ａの除去部２２０は、図１５Ａに示すように、軸ギア２１２と駆動ギア２１４との係合を防止する一方で組合せの入力中に軸ギア２１２を回転させるように方向付けられている。このため、ダイヤル２４を回転させている権限のない人には、ギアの衝突による可聴情報が提供されない。
【００３４】
いったん正確な組合せを入力すると、アクチュエータ７０は、ボルト後退ギア２１６の経路から外に出力ピン７６ａをすぐには回転させない。その代わり、コントローラは、軸ギア２１２を図１５Ｂに示す位置まで回転するまで待機し、軸ギア２１２にある除去部２１８は、駆動ギア２１４を向くように位置付けられる。この位置において、コントローラは、アクチュエータ７０に信号を送信し、前に図９Ａから図９Ｃで示したように、出力素子７６及びピン７６ａをボルト後退ギア２１６の経路から外に回転させる。そして、ボルト後退ギア２１６は、図１５Ｂに示すように、わずかに下方に回転し、このため、駆動ギア２１４を回転させ、第１駆動ギア部分２１４ａの歯を軸ギア２１２と噛合させるための位置に移動させる。軸ギア２１２がダイヤル２４と共に回転し続けるにしたがって、第１駆動ギア部分２１４ａは、図１５Ｃに示す位置まで駆動され、これは、第２駆動ギア部分２１４ｂを介してボルト後退ギア２１６の下方への回転に変換する。さらに、ピン２１６ｂは、ロックボルト５４を押し込んで図１５Ｃに示す位置に後退させ、このため、ロック２１０のボルト後退手順を完了する。
【００３５】
さらなる実施形態におけるロック３１０を図１６Ａから図１７Ｃに示す。ロック３１０は、前の実施形態におけるロック２１０と同様であり、軸ギア３１２と、軸ギア３１２と係合するように構成された第１駆動ギア部分３１４ａと第２駆動ギア部分３１４ｂとを有する駆動ギア３１４と、第２駆動ギア部分３１４ｂと係合するように構成されたボルト後退ギア３１６と、を有する。軸ギア３１２及び第１駆動ギア部分３１４ａには、ロック２１０において上述と同様の方法で、２歯分の除去部３１８、３２０が形成されている。この実施形態におけるロック３１０において、アクチュエータ７０と関連する出力素子７６とは、取り外されている。第２駆動ギア部分３１４ｂは、２歯分の除去部３２２を有しており、この除去部は、図１６Ａ及び図１７Ａに示すように、ロックボルト５４が完全に延出するときに、ボルト後退ギア３１６と第２駆動ギア部分３１４ａとが係合することを防止する。ボルト後退ギア３１６は、前の実施形態と同様の位置に初期的に位置付けられており、ギアの歯は、係合するために第２駆動ギア部分３１４ｂを向いている。
【００３６】
ロックボルト５４を完全に延出させると、対向する駆動ギア部分３１４ａ、３１４ｂにある除去部３２０、３２２の方向付けは、軸ギア３１２及びボルト後退ギア３１６双方から駆動ギア３１４を係合解除するように設定されている。この実施形態における駆動ギア３１４は、入力シャフト３２４に取り付けられており、アクチュエータ３２６は、シャフト３２４の反対側の端部において駆動ギア３１４に動作可能に結合されている。アクチュエータ３２６は、回路基板６２に近接して位置しており、シャフト３２４及び駆動ギア３１４を回転させるように構成されている。アクチュエータ３２６は、ギア式サーボモータ、非ギア式サーボモータまたは空気コア式回転ソレノイドのような低出力駆動デバイスである。正確な組合せをロック３１０に入力すると、回路基板６２は、ダイヤル２４が回転し、軸ギア３１２の除去部３１８が図１６Ｂ及び図１７Ｂに示すように第１駆動ギア部分３１４ａを向くまで待機する。そして、回路基板６２は、アクチュエータ３２６に信号を送信し、シャフト３２４及び駆動ギア３１４を回転させ、図１６Ｂ及び図１７Ｂに示すように、軸ギア３１２及びボルト後退ギア３１６双方と同時に係合させる。ユーザがダイヤル２４を回転させるにしたがって、軸ギア３１２は、図１６Ｃ及び図１７Ｃに示す位置まで駆動ギア３１４及びボルト後退ギア３１６を駆動し、ロックボルト５４は、完全に後退される。また、この実施形態におけるロック３１０は、組合せの入力中にギアの係合または衝突による可聴ノイズを除去し、アクチュエータ３２６は、前の実施形態におけるサーボモータ７０の動作エネルギーのわずか１０％だけを必要とする。したがって、この実施形態におけるロック３１０は、ドアへの権限のない侵入をさらに阻止する。
【００３７】
図１８を参照すると、代替の実施形態におけるロック４１０が示されている。ロック４１０は、ほぼ半透明な材料で形成されたロック筐体４１４を有し、ロック４１０の内部構成部材は、ロック筐体４１４の外部から視認可能となっている。ロック筐体４１４への権限のない侵入またはロック４１０を破壊する試みがある場合には、半透明なロック筐体４１４は、図１８に示すように侵入の試みがあった証拠を明確に示す。筐体４１４を穿孔した穴部４１２は、ロックボルト５４に近接して視認可能である。不透明なロック筐体と異なり、半透明なロック筐体４１４の穿孔した穴部４１２は、物質で継ぎ当てしてまたは充填して、ロック筐体４１４の背面５６を検査する人によって検出されることなく試みた侵入を隠すことができない。さらに、半透明なロック筐体４１４を介したロック４１０の検査は、ロック４１０の構成部材における初期的な改竄または問題を明らかにする。当業者が理解することは、この実施形態における半透明な筐体４１４を説明した前の実施形態に使用し、権限なくロックを改竄することをさらにやめさせてもよいことである。
【００３８】
上述のように入力デバイス１５としてロックダイヤル２４を有するロック１０、１１０、２１０、３１０、４１０の実施形態それぞれにおいて、回路基板６２及びエンコーダ８４は、図１９Ａから図２０におけるダイアグラム化された特定の動作指示の組によってロック１０を制御するようにプログラムされている。図１９Ａ及び図１９Ｂの動作モードにおいて、ロックダイヤル２４の反時計回りの回転をいったん検出すると、ロック給電部は、始動し、最後にロックをロック解除してから図られた不正確な組合せの入力数を示す値Ｐと共に認証情報または正確な組合値Ｘ、Ｙ、Ｚを得る。ＬＥＤ４６は、Ｐ回だけ赤色に点滅し、権限のあるロックのユーザが、いつ別人がドア１２を破ろうと試みて失敗したかを知ることを可能とする。これらペナルティの点滅後、ＬＥＤ４６は、１回のダイヤルの回転に対して赤色及び緑色に点滅し、途切れのない緑色になる。いったん反時計回りの回転を停止して時計回りの回転が開始したことをコントローラが検出すると、コントローラは、停止時に入力されたダイヤル値をＸ１として記憶し、Ｙ１及びＺ１値を得るための処理を繰り返す。そして、コントローラは、入力したダイヤル値Ｚ１、Ｙ１、Ｚ１が正確な組合値Ｘ、Ｙ、Ｚと一致するか検証する。値が一致しない場合、ＬＥＤ４６は、１０秒間赤色に点滅し、Ｐ値は、ロック１０の電力を停止する前に１だけ増加される。値が一致した場合、サーボモータ７０またはアクチュエータ３２６は、係合し、ボルト５４を後退させ、Ｐ値は、ゼロに設定される。ロックボルト５４が解放または後退位置にある限り、ＬＥＤ４６は、１０秒ごとに１回赤色に点滅し、ロック１０が開放位置にあることを示す。いったんロックボルト５４を延出位置まで戻すと、ロック電力は、停止される。
【００３９】
図２０を参照すると、変更キーをロック１０に挿入すると設定モードが作動される。ロック電力は、始動し、メモリから正確な組合値Ｘ、Ｙ、Ｚを得る。いったんダイヤルの反時計回りの回転を検出すると、ロックは、図１９Ａ及び図１９Ｂにおいて上述した手順にしたがってユーザの入力値Ｘ１、Ｙ１、Ｚ１を得る。５秒の一時停止後、ユーザの入力を得る処理は、繰り返され、値Ｘ２、Ｙ２、Ｚ２を記憶する。そして、コントローラは、２つの組みのユーザの入力値の平均値に等しい正確な組合値Ｘ、Ｙ、Ｚを設定する。したがって、設定モードは、所望の新たな組合せが正確に設定されたことを検証する。
【００４０】
当業者が理解することは、ロック１０、１１０、２１０、３１０、４１０のさまざまな実施形態が機械的なロックダイヤル２４に替えて別のユーザ入力デバイス１５で動作されてもよいことである。例えば、組合値を電子的に入力するために、電子キーパッドをドア１２の外側に位置してもよい。あるいは、ユーザ入力デバイス１５は、指紋または網膜スキャン検証デバイスを有してもよい。ロック筐体１４内に位置付けられているロック１０の内部構成部材は、選択したユーザ入力デバイス１５にかかわらず上述のように動作する。
【００４１】
本発明がいくつかの実施形態の説明によって例示されており、このような実施形態を相当に詳細に説明したが、このような詳細にまで添付の特許請求の範囲を限定または制限することを意図していない。さらなる利点及び改良は、当業者にすでに明らかである。例えば、図２０に詳述されている設定モードは、３つの組みのユーザの入力値を必要として新たな組合せを設定するために共に平均化されるように改良されてもよい。したがって、その最も広範な態様における本発明は、図示されかつ説明された具体的な詳細にまで制限されない。本明細書で開示されたさまざまな機能は、特定の用途に必要なまたは望ましい組合せで使用されてもよい。したがって、以下の特許請求の範囲の精神及び範囲から逸脱することなく本明細書で説明された詳細から逸脱してなされてもよい。
【符号の説明】
【００４２】
１０，１１０，２１０，３１０，４１０  ロック（ロック機構）、１４，４１４  ロック筐体，筐体、１５  ユーザ入力デバイス，入力デバイス、２４  機械的ロックダイヤル，ロックダイヤル，ダイヤル、４６  ＬＥＤ表示発光部，ＬＥＤ、５２  回転軸シャフト，軸シャフト，シャフト、５４，１１２  ロックボルト，ボルト、５４ａ，１１２ａ  スロット（ロックボルトのスロット）、６０  軸スリーブ，スリーブ、６２  電気回路，回路基板、６８，２１６，３１６  ボルト後退ギア、６８ａ，２１６ａ  回動軸、６８ｂ，２１６ｂ  ピン（後退ピン）、７０  アクチュエータ，サーボモータ、７２  回動ブロック（ブロック部材）、７６  回転出力素子，出力素子、７６ａ  出力ピン，ピン（ブロックピン）、７８，２１２，３１２  軸ギア（ギアトレイン）、８０，２１４，３１４  駆動ギア素子，駆動ギア（ギアトレイン）、８０ａ，２１４ａ，３１４ａ  第１駆動ギア部分，第１ギア部分，部分、８０ｂ，２１４ｂ，３１４ｂ  第２駆動ギア部分，第２ギア部分，部分、８６  スロット（駆動ギアのスロット）、９０  ピンガイド，スロット、９４  取付ネジ，取付ボルト，取付ロッド，ボルト、９６  回路破損デバイス、１１２ｂ  凹所、１１２ｃ  ボルト延出部、１１４  後退ボルトシールド、１２２  受口部（ボルト受口部，取付ボルト受口部）、１２４  ブロック部材、１２６  第１部材、１２８  駆動ロッド、２１８，２２０，３１８，３２０，３２２  除去部（除去部分）
【図１】
0005703223.tif 000002
【図２】
0005703223.tif 000003
【図３】
0005703223.tif 000004
【図４】
0005703223.tif 000005
【図５】
0005703223.tif 000006
【図６】
0005703223.tif 000007
【図７】
0005703223.tif 000008
【図８Ａ】
0005703223.tif 000009
【図８Ｂ】
0005703223.tif 000010
【図８Ｃ】
0005703223.tif 000011
【図９Ａ】
0005703223.tif 000012
【図９Ｂ】
0005703223.tif 000013
【図９Ｃ】
0005703223.tif 000014
【図１０】
0005703223.tif 000015
【図１１】
0005703223.tif 000016
【図１２】
0005703223.tif 000017
【図１３】
0005703223.tif 000018
【図１４Ａ】
0005703223.tif 000019
【図１４Ｂ】
0005703223.tif 000020
【図１４Ｃ】
0005703223.tif 000021
【図１５Ａ】
0005703223.tif 000022
【図１５Ｂ】
0005703223.tif 000023
【図１５Ｃ】
0005703223.tif 000024
【図１６Ａ】
0005703223.tif 000025
【図１６Ｂ】
0005703223.tif 000026
【図１６Ｃ】
0005703223.tif 000027
【図１７Ａ】
0005703223.tif 000028
【図１７Ｂ】
0005703223.tif 000029
【図１７Ｃ】
0005703223.tif 000030
【図１８】
0005703223.tif 000031
【図１９Ａ】
0005703223.tif 000032
【図１９Ｂ】
0005703223.tif 000033
【図２０】
0005703223.tif 000034